(57)【特許請求の範囲】
【請求項１】
通信媒体で第一の拡散系列に従って送信される第一のスペクトル拡散信号で符号化された情報を復元する方法であり、通信媒体から第一のスペクトル拡散信号を含む複合信号を受信し、複合信号を第一の拡散系列と相関させることにより、複合信号と第一の拡散系列との複数の時間のずれた相関を作成する方法であって、更に
前記通信媒体におけるインパルス応答を表すパルス形状情報を含む、複合信号の中に存在するスペクトル拡散信号の情報に基づいて重み係数を生成するステップと、
重み係数に従って相関を合成することにより、送信された第一のスペクトル拡散信号で符号化された情報を推定するステップと
を備え、
重み係数を生成する前記ステップが、
第一の拡散系列の統計的性質から複合チャネル応答を推定するステップと、
第一の拡散系列の統計的性質と、複合信号の中の第二のスペクトル拡散信号のパワーの推定値と、複合信号の中の雑音のパワーの推定値とから、損傷相関を推定するステップと、
推定された複合チャネル応答と推定された損傷相関から重み係数を生成するステップと
を含むことを特徴とする方法。
【請求項２】
請求項１の方法であって、更に、第二のスペクトル拡散信号のパワーを推定するステップを含むことを特徴とする方法。
【請求項３】
請求項２の方法であって、第二のスペクトル拡散信号のパワーを推定する前記ステップが、
第二のスペクトル拡散信号のパワーに関する情報を基地局から受信し、
受信した情報から第二のスペクトル拡散信号のパワーを推定する、ステップ
を含むことを特徴とする方法。
【請求項４】
請求項２の方法であって、第二のスペクトル拡散信号のパワーを推定する前記ステップが、
第二のスペクトル拡散信号を符号化する第二の拡散系列を識別し、
複合信号を識別された第二の拡散系列と相関させることにより、相関を生成し、
相関から第二のスペクトル拡散信号のパワーを判定する、ステップと
を含むことを特徴とする方法。
【請求項５】
請求項４の方法であって、第二の拡散系列を識別する前記ステップが、第二の拡散系列を識別する情報を基地局から受信するステップを含むことを特徴とする方法。
【請求項６】
請求項４の方法であって、第二の拡散系列を識別する前記ステップが、複合信号から第二の拡散系列を検出するステップを含むことを特徴とする方法。
【請求項７】
請求項１の方法であって、
複合チャネル応答を推定する前記ステップが、第一の拡散系列に対する非周期的自己相関関数または第一の拡散系列に対する平均非周期的自己相関値の一方から複合チャネル応答を推定するステップを含み、
損傷相関を推定する前記ステップが、第一の拡散系列に対する非周期的自己相関関数または第一の拡散系列に対する平均非周期的自己相関値の一方から損傷相関を推定するステップを含むことを特徴とする方法。
【請求項８】
請求項１の方法であって、損傷相関を推定する前記ステップが、
マルチユーザ干渉相関を推定し、
雑音相関を推定し、
推定されたマルチユーザ干渉相関と推定された雑音相関とを加算することにより損傷相関を推定する、ステップ
を含むことを特徴とする方法。
【請求項９】
請求項１の方法であって、損傷相関を推定する前記ステップが、
マルチユーザ干渉相関を推定し、
雑音相関を推定し、
符号間干渉相関を推定し、
推定されたマルチユーザ干渉相関と、推定された雑音相関と、推定された符号間干渉相関とを加算することにより損傷相関を推定する、ステップ
を含むことを特徴とする方法。
【請求項１０】
請求項１の方法であって、重み係数を生成する前記ステップが、前に生成された重み係数から重み係数を反復生成するステップを含むことを特徴とする方法。
【請求項１１】
請求項１の方法であって、相関させる前記ステップが、重み係数と複合チャネル応答との積に比例するメトリックを最適化する一組の時間遅延を使用して、複合信号を第一の拡散系列と相関させるステップを含むことを特徴とする方法。
【請求項１２】
請求項１の方法であって、
重み係数を生成する前記ステップは、推定されたチャネル応答と、推定された損傷相関と、前に決められた重み係数とから重み係数を反復生成することを含み、
合成する前記ステップは、反復生成された重み係数に従って相関を合成することにより、送信された第一のスペクトル拡散信号で符号化された情報を推定することを含むことを特徴とする方法。
【請求項１３】
請求項１２の方法であって、反復生成する前記ステップが、前の反復に対して決められた重み係数と、前のシンボル周期に対して決められた重み係数と、チャネル係数との少なくとも一つから重み係数を生成するステップを含むことを特徴とする方法。
【請求項１４】
請求項１２の方法であって、更に
第一の拡散系列の情報から、推定されたチャネル応答を生成し、
第一の拡散系列の情報と、複合信号の中の第二のスペクトル拡散信号のパワーの推定値と、複合信号の中の雑音のパワーの推定値とから、推定された損傷相関を生成する、ステップ、
を含むことを特徴とする方法。
【請求項１５】
通信媒体で第一の拡散系列に従って送信される第一のスペクトル拡散信号で符号化された情報を復元する装置であり、通信媒体から第一のスペクトル拡散信号を含む複合信号を受信する手段と、前記受信手段に応答して、複合信号を第一の拡散系列と相関させることにより、複合信号と第一の拡散系列との複数の時間のずれた相関を作成する装置であって、更に
通信媒体から第一のスペクトル拡散信号を含む複合信号を受信する手段と、
前記受信手段に応答して、複合信号を第一の拡散系列と相関させることにより、複合信号と第一の拡散系列との複数の時間のずれた相関を作成する手段と、
前記通信媒体におけるインパルス応答を表すパルス形状情報を含む、複合信号の中のスペクトル拡散信号の情報に基づいて重み係数を生成する手段と、
前記相関作成手段と前記重み係数生成手段とに応答して、重み係数に従って相関を合成することにより、送信された第一のスペクトル拡散信号で符号化された情報を推定する手段と、
を備え、
重み係数を生成する前記手段が、
第一の拡散系列の統計的性質から複合チャネル応答を推定する手段と、
第一の拡散系列の統計的性質と、複合信号の中の第二のスペクトル拡散信号のパワーの推定値と、複合信号の中の雑音のパワーの推定値とから、損傷相関を推定する手段と、
推定された複合チャネル応答と推定された損傷相関から重み係数を生成する手段と
を含むことを特徴とする装置。
【請求項１６】
請求項１５の装置であって、更に、第二のスペクトル拡散信号のパワーを推定する手段を含む装置。
【請求項１７】
請求項１６の装置であって、第二のスペクトル拡散信号のパワーを推定する前記手段が、
第二のスペクトル拡散信号のパワーに関する情報を基地局から受信する手段と、
受信した情報から第二のスペクトル拡散信号のパワーを推定する手段と
を含むことを特徴とする装置。
【請求項１８】
請求項１６の装置であって、第二のスペクトル拡散信号のパワーを推定する前記手段が、
第二のスペクトル拡散信号を符号化する第二の拡散系列を識別する手段と、
複合信号を識別された第二の拡散系列と相関させることにより、相関を生成する手段と、
相関から第二のスペクトル拡散信号のパワーを判定する手段と
を含むことを特徴とする装置。
【請求項１９】
請求項１８の装置であって、第二の拡散系列を識別する前記手段が、第二の拡散系列を識別する情報を基地局から受信する手段を含むことを特徴とする装置。
【請求項２０】
請求項１８の装置であって、第二の拡散系列を識別する前記手段が、複合信号から第二の拡散系列を検出する手段を含むことを特徴とする装置。
【請求項２１】
請求項１５の装置であって、損傷相関を推定する前記手段が、
マルチ・ユーザ干渉相関を推定する手段と、
雑音相関を推定する手段と、
推定されたマルチ・ユーザ干渉相関と推定された雑音相関とを加算することにより損傷相関を推定する手段と
を含むことを特徴とする装置。
【請求項２２】
請求項１５の装置であって、損傷相関を推定する前記手段が、
マルチ・ユーザ干渉相関を推定する手段と、
雑音相関を推定する手段と、
符号間干渉相関を推定する手段と、
推定されたマルチ・ユーザ干渉相関と、推定された雑音相関と、推定された符号間干渉相関とを加算することにより損傷相関を推定する手段と
を含むことを特徴とする装置。
【請求項２３】
請求項１５の装置であって、重み係数を生成する前記手段が、前に生成された重み係数から重み係数を反復生成する手段を含むことを特徴とする装置。
【請求項２４】
請求項１５の装置であって、相関させる前記手段が、重み係数と複合チャネル応答との積に比例するメトリックを最適化する一組の時間遅延を使用して、複合信号を第一の拡散系列と相関させる手段を含むことを特徴とする装置。
【請求項２５】
請求項１５の装置であって、相関させる前記手段が、複数の積分ダンプ相関器と、スライディング相関器と、選択的に禁止されるスライディング相関器の少なくとも一つを含むことを特徴とする装置。
【請求項２６】
請求項１５の装置であって、
重み係数を生成する前記手段は、推定されたチャネル応答と、推定された損傷相関と、前に決められた重み係数とから重み係数を反復生成する手段を含み、
合成する前記手段は、重み係数を反復生成する前記手段と相関させる前記手段とに応答して、反復生成された重み係数に従って相関を合成することにより、送信された第一のスペクトル拡散信号で符号化された情報を推定する手段を含むことを特徴とする装置。
【請求項２７】
請求項２６の装置であって、前記反復生成手段が、前の反復に対して決められた重み係数と、前のシンボル周期に対して決められた重み係数と、チャネル係数の少なくとも一つから重み係数を生成する手段を含むことを特徴とする装置。
【請求項２８】
請求項２６の装置であって、更に
第一の拡散系列の情報から、推定されたチャネル応答を生成する手段と、
第一の拡散系列の情報と、複合信号の中の第二のスペクトル拡散信号のパワーの推定値と、複合信号の中の雑音のパワーの推定値とから、推定された損傷相関を生成する手段と、
を含むことを特徴とする装置。
【発明の詳細な説明】
【０００１】
（発明の分野）
本発明は通信方法および装置に関するものであり、更に詳しくはスペクトル拡散通信方法および装置に関するものである。
【０００２】
（発明の背景）
加入者に音声とデータの通信を提供するために無線通信システムが一般に用いられている。たとえば、ＡＭＰＳ、ＥＴＡＣＳ、ＮＭＴ−４５０、ＮＭＴ−９００と呼ばれるようなアナログセルラー無線電話システムが世界中に成功裏に展開されてきた。北米規格ＩＳ−５４および欧州規格ＧＳＭに適合するようなディジタルセルラー無線電話システムが１９９０年代はじめからサービスに入っている。更に最近になって、総括的にＰＣＳ（Ｐｅｒｓｏｎａｌ  Ｃｏｍｍｕｎｉｃａｔｉｏｎ  Ｓｅｒｖｉｃｅ）と呼ばれるさまざまな無線ディジタルサービスが導入されてきた。これには、ＩＳ−１３６およびＩＳ−９５のような規格に適合する進んだディジタルセルラーシステム、ＤＥＣＴ（Ｄｉｇｉｔａｌ  Ｅｎｈａｎｃｅｄ  Ｃｏｒｄｌｅｓｓ  Ｔｅｌｅｐｈｏｎｅ）のような低電力システム、およびＣＤＰＤ（Ｃｅｌｌｕｌａｒ  Ｄｉｇｉｔａｌ  Ｐａｃｋｅｔ  Ｄａｔａ）のようなデータ通信サービスが含まれる。これらのシステムおよび他のシステムについては、ギブソン（Ｇｉｂｓｏｎ）編、ＣＲＣプレス発行（１９９６年）モバイル・コミュニケーションズ・ハンドブック（Ｔｈｅ  Ｍｏｂｉｌｅ  Ｃｏｍｍｕｎｉｃａｔｉｏｎ  Ｈａｎｄｂｏｏｋ）に説明されている。
【０００３】
図１は、代表的な地上セルラー無線電話通信システム２０を示す。セルラー無線電話システム２０は、基地局２６および移動電話交換局（ＭＴＳＯ：ｍｏｂｉｌｅ  ｔｅｌｅｐｈｏｎｅ  ｓｗｉｔｃｈｉｎｇ  ｏｆｆｉｃｅ）２８のサービスを受ける複数のセルと通信する一つ以上の無線電話（端末）２２を含むことができる。図１には３個のセル２４しか示されていないが、代表的なセルラー網は何百ものセル、二つ以上の移動電話交換局を含むことができ、何千個もの無線電話にサービスすることができる。
【０００４】
セル２４は一般に通信システム２０のノードとしてサービスする。セル２４から、セル２４にサービスする基地局２６を経由して無線電話２２と移動電話交換局２８との間にリンクが設定される。各セルには、一つ以上の専用制御チャネルおよび一つ以上のトラヒックチャネルが割り当てられている。制御チャネルはセルＩＤおよびページング情報を伝送するために使用される専用チャネルである。トラヒックチャネルは音声とデータの情報を伝える。セルラー網２０を通して、二つの移動端末２２の間に、または公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）３４経由で移動端末２２と陸線電話ユーザ３２との間に二重無線通信リンクを設定することができる。基地局２６の機能はセル２４と移動端末２２との間の無線通信を処理することである。この関係で、基地局２６はデータと音声の信号に対する中継局としての機能を果たす。
【０００５】
たとえば、人口密度が低い地域、または従来の陸線電話または地上セルラー電話の下部構造を技術的または経済的に実際的でないものとする傾向のある険しい地形の地域にサービスするために、従来の地上基地局が行っている機能に類似の機能を遂行するよう図２に示すように、衛星４２を用いることができる。衛星無線電話システム４０には通常、一つ以上の衛星４２が含まれ、衛星４２は一つ以上の地球局４４と端末２３との間で中継またはトランスポンダとしての役目を果たす。衛星４２は二重リンク４６で端末２３および地球局４４に無線電話通信を行う。地球局４４をまた公衆交換電話網３４に接続して、衛星無線電話相互の間の通信、および衛星無線電話と従来の地上セルラー無線電話または陸線電話との間の通信を行えるようにすることができる。衛星無線電話システム４０は、システムがサービスする地域全体をカバーする単一のアンテナビームを利用することができる。または、システムのサービス領域内の別々の地理的なカバー領域５０に各々サービスする、重なりが最小の多数のビームを作成するように衛星を設計することもできる。カバー領域５０は図１の地上セルラーシステム２０のセル２４と同様の機能を果たす。
【０００６】
図１および図２に示されるような無線システムのユーザに無線サービスを提供するために、いくつかの型のアクセス手法が従来使用されている。伝統的なアナログセルラーシステムは、周波数分割多元接続（ＦＤＭＡ：ｆｒｅｑｕｅｎｃｙ  ｄｉｖｉｓｉｏｎ  ｍｕｌｔｉｐｌｅ  ａｃｃｅｓｓ）と呼ばれるシステムを一般に用いて、通信チャネルを作成する。この通信チャネルで個々の周波数帯域は、それを介してセルラー端末がセルラー基地局と通信するチャネルとしての役目を果たす。通常、システム容量を増大するために、これらの帯域は地理的に離れたセルで再使用される。
【０００７】
現代的なディジタル無線システムは通常、スペクトル効率を増大するために異なる多元接続手法、たとえば、時分割多元接続（ＴＤＭＡ：ｔｉｍｅ  ｄｉｖｉｓｉｏｎ  ｍｕｌｔｉｐｌｅ  ａｃｃｅｓｓ）と符号分割多元接続（ＣＤＭＡ：ｃｏｄｅ  ｄｉｖｉｓｉｏｎ  ｍｕｌｔｉｐｌｅ  ａｃｃｅｓｓ）の一方または両方を利用する。ＧＳＭまたはＩＳ−１３６規格に適合するようなＴＤＭＡシステムでは、搬送波は多チャネルに割り当てられる順次タイムスロットに分割されるので、複数のチャネルを単一の搬送波上に多重化することができる。ＩＳ−９５規格に適合するようなＣＤＭＡシステムでは、「スペクトル拡散」手法を使用することによりチャネル容量増大を達成する。「スペクトル拡散」手法では、特有の拡散符号、すなわち、通信システムが動作する周波数スペクトルの広い部分上にもとのデータ変調された搬送波を拡散する符号により、データ変調された搬送波信号を変調することによりチャネルが定められる。
【０００８】
従来のスペクトル拡散ＣＤＭＡ通信システムは通常、いわゆる「直接拡散」スペクトル拡散変調を使用する。直接拡散変調では、データ変調された搬送波が拡散符号または系列により直接変調された後、電力増幅器により増幅され、通信媒体、たとえば空気界面で送信される。拡散符号には通常、送信されるデータのビットレートより通常ずっと高いチップレートで生じる「チップ」系列が含まれる。
【０００９】
このようなシステムの代表的な送信動作が図３に示されている。異なるユーザからのデータストリームは誤り訂正符号化またはインタリーブのような種々の信号処理ステップを受け、ユーザ特有の拡散符号とグループ特有のスクランブリング符号の組合わせを使用して拡散される。ユーザからの符号化されたデータストリームは次に組合わされ、搬送波変調され、通信媒体の複合信号として送信される。
【００１０】
一つのユーザデータストリームに対応する情報を復元するために、いわゆるＲＡＫＥ受信器構造が通常、使用される。代表的なＲＡＫＥ受信器では受信された複合信号は通常、受信器に割り当てられた特定の拡散系列と相関させられ、複数の、時間がずらされた相関が作成される。複数の、時間がずらされた相関のそれぞれ一つが、送信されたスペクトル拡散信号のエコーに対応する。次に、相関は重み付け形式で合成される。すなわち、それぞれの相関はそれぞれの重み係数を乗算された後、加算されて、判断統計量が作成される。
【００１１】
適切な重み係数を決定するためのいくつかのアプローチが提案されてきた。典型的な最適ＲＡＫＥ受信器は通常、受信器の雑音は相関が無いという前提で設計されるので、チャネル推定器が重み係数と推定するチャネル係数の複素共役数を使用する。このようなアプローチはＣＤＭＡシステムではあまり望ましくない結果を生じることがある。分散的な媒体に干渉し合う信号を通すと、一般に受信器では雑音に対する相関が生じる。したがって、「有色」雑音のモデルに基づいて受信器のアプローチが提案されてきた。これについては、たとえば、アイトリプルイー・ジャーナル・オン・セレクテッド・エリアズ・イン・コミュニケーションズ誌のモンク他による「多元接続雑音除去のための雑音白色化アプローチ、第１部、理論と背景」（”Ａ  Ｎｏｉｓｅ  Ｗｈｉｔｅｎｉｎｇ  Ａｐｐｒｏａｃｈ  ｔｏ  Ｍｕｌｔｉｐｌｅ  Ａｃｃｅｓｓ  Ｎｏｉｓｅ  Ｒｅｊｅｃｔｉｏｎ−Ｐａｒｔ  Ｉ：Ｔｈｅｏｒｙ  ａｎｄ  Ｂａｃｋｇｒｏｕｎｄ，”ｂｙ  Ｍｏｎｋ  ｅｔ  ａｌ．，ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，ｖｏｌ．１２，ｐｐ．８１７−８２７（Ｊｕｎｅ  １９９４））、アイトリプルイー・ジャーナル・オン・セレクテッド・エリアズ・イン・コミュニケーションズ誌のモンク他による「多元接続雑音除去のための雑音白色化アプローチ、第２部、実現の問題」（”Ａ  Ｎｏｉｓｅ  Ｗｈｉｔｅｎｉｎｇ  Ａｐｐｒｏａｃｈ  ｔｏ  Ｍｕｌｔｉｐｌｅ  Ａｃｃｅｓｓ  Ｎｏｉｓｅ  Ｒｅｊｅｃｔｉｏｎ−Ｐａｒｔ  ＩＩ：Ｉｍｐｌｅｍｅｎｔａｔｉｏｎ  Ｉｓｓｕｅｓ，”ｂｙ  Ｍｏｎｋ  ｅｔ  ａｌ．，ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，ｖｏｌ．１４，ｐｐ．１４８８−１４９９（Ｏｃｔｏｂｅｒ  １９９６））、１９９７年アイトリプルイー・ビーキュラ・テクノロジー・コンファレンスのクラインによる「ＣＤＭＡ移動無線システムのダウンリンクのために特に設計されたデータ検出アルゴリズム」（”Ｄａｔａ  Ｄｅｔｅｃｔｉｏｎ  Ａｌｇｏｒｉｔｈｍｓ  Ｓｐｅｃｉｆｉｃａｌｌｙ  Ｄｅｓｉｇｎｅｄ  ｆｏｒ  ｔｈｅ  Ｄｏｗｎｌｉｎｋ  ｏｆ  ＣＤＭＡ  Ｍｏｂｉｌｅ  Ｒａｄｉｏ  Ｓｙｓｔｅｍｓ，”ｂｙ  Ｋｌｅｉｎ，１９９７  ＩＥＥＥ  Ｖｅｈｉｃｕｌａｒ  Ｔｅｃｈｎｏｌｏｇｙ  Ｃｏｎｆｅｒｅｎｃｅ，Ｐｈｏｅｎｉｘ  ＡＺ（Ｍａｙ  ４−７，１９９７）、デント（Ｄｅｎｔ）他の米国特許Ｎｏ．５，５７２，５５２（１９９６年１１月５日付与）、第４３回アイトリプルイー・ビーキュラ・テクノロジー・コンファレンスのボトムリーによる「ダウンリンクＣＤＭＡ信号の復調のためのＲＡＫＥ受信器の最適化」（”Ｏｐｔｉｍｉｚｉｎｇ  ｔｈｅ  Ｒａｋｅ  Ｒｅｃｅｉｖｅｒ  ｆｏｒ  Ｄｅｍｏｄｕｌａｔｉｏｎ  ｏｆ  Ｄｏｗｎｌｉｎｋ  ＣＤＭＡ  Ｓｉｇｎａｌｓ，”ｂｙ  Ｂｏｔｔｏｍｌｅｙ，Ｐｒｏｃｅｅｄｉｎｇｓ  ｏｆ  ｔｈｅ  ４３ｒｄ  ＩＥＥＥ  Ｖｅｈｉｃｕｌａｒ  Ｔｅｃｈｎｏｌｏｇｙ  Ｃｏｎｆｅｒｅｎｃｅ，Ｓｅｃａｕｃｕｓ  ＮＪ（Ｍａｙ  １８−２０，１９９３）、ブルッケルト（Ｂｒｕｃｋｅｒｔ）他による米国特許Ｎｏ．５，８０９，０２０（１９９８���９月１５日付与）、ブルッケルト（Ｂｒｕｃｋｅｒｔ）他による米国特許Ｎｏ．５，８１２，５４２（１９９８年９月２２日付与）、およびアサヌマ（Ａｓａｎｕｍａ）による欧州特許出願公報ＥＰ−Ａ−０８９３８８８（１９９９年１月２７日発行）に説明されている。
【００１２】
このようなアプローチはスペクトル拡散信号の受信改善に有効であり得るが、他のスペクトル拡散信号からの干渉を考慮し、受信したスペクトル拡散信号を処理するための改善された手法が求められ続けている。
【００１３】
（発明の概要）
上記のことに鑑みて、本発明の一つの目的は通信媒体で送信されるスペクトル拡散信号によって表される情報を復元するための改善された方法と装置を提供することである。
【００１４】
本発明のもう一つの目的は、通信媒体で送信される他のスペクトル拡散信号からの干渉を補償することができるスペクトル拡散信号によって表される情報を復元するための改善された方法と装置を提供することである。
【００１５】
本発明によれば、パルス形状情報を含む、複合信号の中に存在するスペクトル拡散信号の情報に基づいて、たとえば所望の系列の統計的性質と他の系列を使用する干渉するスペクトル拡散信号のパワーとに基づいて生成される重み係数を使用して、受信された複合信号と所望の拡散系列との相関値（以下、相関と称す。）に重みを付けて合成する方法および装置により、上記の、そして他の目的、特徴、および利点を提供することができる。更に詳しく述べると、所望の系列の統計的性質と、複合信号の中に存在する少なくとも一つの他のスペクトル拡散信号と雑音のパワー推定値とを使用して推定される複合チャネル応答から重み係数を生成することができる。本発明の一側面によれば、前に演算された重み係数から、更新された重み係数が反復推定され、損傷(impairment)相関行列の逆行列を計算する必要がなくなる。
【００１６】
特に、本発明によれば、通信媒体で第一の拡散系列に従って送信される第一のスペクトル拡散信号で符号化された情報が復元される。第一のスペクトル拡散信号を含む複合信号が通信媒体から受信される。複合信号を第一の拡散系列と相関させることにより、複合信号と第一の拡散系列との複数の時間のずれた相関が作成される。パルス形状情報を含み、複合信号の中に存在するスペクトル拡散信号の情報に基づいて、重み係数が生成される。重み係数に従って相関を合成することにより、送信された第一のスペクトル拡散信号で符号化された情報が推定される。
【００１７】
本発明の一実施例によれば、第一の拡散系列の情報から複合チャネル応答が推定される。第一の拡散系列の情報と、複合信号の中の第二のスペクトル拡散信号のパワーの推定値と、複合信号の中の雑音のパワーの推定値とから、損傷相関が推定される。次に、推定された複合チャネル応答と推定された損傷相関から重み係数が生成される。
【００１８】
本発明のもう一つの実施例によれば、マルチ・ユーザ干渉相関と雑音相関が推定される。次に、推定されたマルチ・ユーザ干渉相関と推定された雑音相関とを加算することにより、損傷相関が推定される。符号間干渉相関も推定してもよく、推定されたマルチ・ユーザ干渉相関と推定された雑音相関とに加算することにより、損傷相関が推定される。
【００１９】
本発明のもう一つの側面によれば、推定されたチャネル応答と、推定された損傷相関と、前に決められた重み係数とから重み係数が反復生成される。第一のスペクトル拡散信号を含む複合信号が通信媒体から受信される。複合信号を第一の拡散系列と相関させることにより、複合信号と第一の拡散系列との複数の時間のずれた相関が生成される。反復生成された重み係数に従って相関を合成することにより、送信された第一のスペクトル拡散信号で符号化された情報が推定される。チャネル応答は、第一の拡散系列の情報から推定された複合チャネル応答であってもよく、損傷相関は第一の拡散系列の情報と、複合信号の中の第二のスペクトル拡散信号のパワーの推定値と、複合信号の中の雑音のパワーの推定値とから推定されてもよい。
【００２０】
本発明のもう一つの側面によれば、通信媒体で送信される第一のスペクトル拡散信号で符号化された情報を復元する装置は、通信媒体から第一のスペクトル拡散信号を含む複合信号を受信する手段を含む。受信手段に応答して、複合信号を第一の拡散系列と相関させることにより、複合信号と第一の拡散系列との複数の時間のずれた相関を作成する手段が設けられる。パルス形状情報を含む、複合信号の中のスペクトル拡散信号の情報に基づいて重み係数を生成する手段が設けられる。相関作成手段と重み係数生成手段とに応答して、重み係数に従って相関を合成することにより、送信された第一のスペクトル拡散信号で符号化された情報を推定する手段も設けられる。
【００２１】
本発明のもう一つの側面によれば、第一のスペクトル拡散信号で符号化された情報を復元する装置は、推定されたチャネル応答と、推定された損傷相関と、前に決められた重み係数とから重み係数を反復生成する手段を含む。通信媒体から第一のスペクトル拡散信号を含む複合信号を受信する手段が設けられる。受信手段に応答して、複合信号を第一の拡散系列と相関させることにより、複合信号と第一の拡散系列との複数の時間のずれた相関を作成する手段も設けられる。重み係数反復生成手段と相関作成手段とに応答して、反復生成された重み係数に従って相関を合成することにより、送信された第一のスペクトル拡散信号で符号化された情報を推定する手段も設けられる。
【００２２】
本発明のもう一つの側面によれば、第一の拡散系列に従って符号化される第一のスペクトル拡散信号で符号化された情報を復元する装置は、複合信号を第一の拡散系列と相関させることにより、複合信号と第一の拡散系列との複数の時間のずれた相関を作成するように動作する相関ユニットを含む。重み係数発生器は、パルス形状情報を含む、複合信号の中のスペクトル拡散信号の情報に基づいて重み係数を生成するように動作する。重み付き合成器は、相関ユニットと重み係数発生器とに応答し、重み係数に従って相関を合成することにより判断統計量を作成する。検出器は、重み付き合成器に応答し、判断統計量から、送信された第一のスペクトル拡散信号で符号化された情報の推定値を生成するように動作する。
【００２３】
本発明の一実施例によれば、重み係数発生器は、推定されたチャネル係数と第一の拡散系列の情報とから複合チャネル応答を計算するように動作する複合チャネル応答計算器を含む。損傷相関計算器は、推定されたチャネル係数と、第一の拡散系列の知識と、複合信号の中の第二のスペクトル拡散信号のパワーの推定値と、複合信号の中の雑音のパワーの推定値とから、損傷相関を計算するように動作する。重み係数計算器は、複合チャネル応答計算器と損傷相関計算器とに応答して、計算された複合チャネル応答と計算された損傷相関とから重み係数を計算する。
【００２４】
（好適実施例の詳細な説明）
次に、本発明の好適実施例を示す付図を参照して、以下更に詳しく本発明について説明する。しかし、この発明は多数の異なる形式で実施することができ、ここに示される実施例に限定されるものと考えるべきでない。この開示が首尾一貫して完全なものとなるように、そして当業者に発明の範囲が完全に伝えられるように、これらの実施例が示される。図で、同じ番号は同じ要素を表す。
【００２５】
ここでの説明は無線通信システムに関するものであり、更に詳しくは無線符号分割多元接続（ＣＤＭＡ：ｃｏｄｅ  ｄｉｖｉｓｉｏｎ  ｍｕｌｔｉｐｌｅ  ａｃｃｅｓｓ）システム、たとえば、ＩＳ−９５規格または広帯域ＣＤＭＡ（ＷＣＤＭＡ、ＣＤＭＡ２０００等）に対して提案された規格に適合するシステムに関するものである。このような無線通信システムでは、たとえば、移動端末または基地局の中にある送信器が発生する電磁波形をアンテナが放射する。波形は無線伝搬環境で伝搬され、一つ以上のアンテナを介して受信器により受信される。ここでの説明は無線環境についてのものであるが、装置と方法は、有線通信と磁気記憶媒体からのデータの復元のような他の環境に適用することができる。
【００２６】
複合信号内のスペクトル拡散信号の情報に基づいて、更に詳しくは、信号を拡散するために使用される拡散系列の統計的性質に基づいて、複合信号の損傷（雑音プラス干渉）の性質を明確に判定できるという認識から本発明は生じる。この損傷の性質の推定値を使用して、合成プロセスに対する重み係数を発生し、重み付けされた合成により干渉と雑音の成分を除去することができる。本発明の実施例によれば、複合信号内のスペクトル拡散信号の性質を反映する複合チャネル応答および損傷相関行列から重み係数が決められる。もう一つの側面によれば、重み係数が反復作成され、損傷相関行列を反転する必要はなくなる。
【００２７】
図４は本発明の一実施例による変形されたＲＡＫＥ受信器４００を示す。ＲＡＫＥ受信器４００は通信媒体から受信した複合信号ｒ（ｔ）から、所望の拡散系列ｓdに従って送信されたスペクトル拡散信号によって表される情報を復元する。受信器４００は複合信号ｒ（ｔ）を受信するための手段、たとえば、信号ｒ（ｔ）の増幅、混合、フィルタリング、および受信信号ｒ（ｔ）のベースバンドサンプルｒ（ｋ）の作成のような動作を遂行する無線プロセッサ４０５を含む。ここで相関器４１４ａ−４１４Ｌのバンクに結合された遅延４１２ａ−４１２Ｌのバンクとして示されている相関ユニット４１０はベースバンド信号ｒ（ｋ）の遅延バージョンを所望の拡散系列ｓdに相関させる。無線プロセッサ４０５はさまざまな他の機能を遂行してもよく、また相関ユニット４１０はスライディング相関器を使用するなど他の形式で実現してもよいことは理解されよう。
【００２８】
相関ユニット４１０が作成する相関ｘ1，ｘ2，．．．ｘjは重み付き組合わせ（合成）器４２０で合成される。重み付き合成器４２０は、複合信号ｒ（ｔ）をそれから受信する通信媒体で送信されるスペクトル拡散信号の情報に基づいて重み係数発生器４３０が発生する重み係数ｗを使用する。後で詳しく示すように、これは所望の拡散系列ｓdの統計的性質についての情報、および複合信号ｒ（ｔ）に含まれる他のスペクトル拡散信号のパワーについての情報を含むことができる。重み付き合成器４２０は判断統計量ｚを作成する。次に、検出器４４０は判断統計量ｚを使用して、所望の拡散系列ｓdに対応する、もとの送信されたスペクトル拡散信号によって表される情報を推定する。検出器４４０は、たとえば、畳込みまたはターボ復号のような軟判定復号を用いることができる。
【００２９】
図４の受信器４００は多数の異なる仕方で実現することができる。ここでの説明では移動端末または無線通信システムの基地局と通信するように動作する他の端末で受信器４００を用いている。しかし、受信器４００は多数の他の形式で実現することができる。これらには、セルラー基地局トランシーバ、衛星トランシーバ、有線トランシーバ、および他の通信装置で使用される受信器が含まれるが、それらに限定されることはない。相関ユニット４１０、重み付き合成器４２０、重み係数発生器４３０、および検出器４４０は、たとえば特定用途向け集積回路（ＡＳＩＣ：ａｐｐｌｉｃａｔｉｏｎ−ｓｐｅｃｉｆｉｃｉｎｔｅｇｒａｔｅｄ ｃｉｒｃｕｉｔ）、ディジタル信号プロセッサ（ＤＳＰ：ｄｉｇｉｔａｌ ｓｉｇｎａｌｐｒｏｃｅｓｓｏｒ）チップ、または説明した処理機能を遂行するように構成された他の処理装置を使用して実現してもよい。一般に、受信器４００のこれらの構成要素および他の構成要素は、専用回路、専用または汎用のデータ処理装置で実行されるソフトウェアまたはファームウェア、またはそれらの組合わせを使用して実現することができる。
【００３０】
重み付き組合わせ器４２０によって遂行される組合わせ動作は次式によって表現することができる。
0004464020.tif 000002
ここで、ｚは組合わせ器４２０によって作成される判断統計量であり、ｗとｘはそれぞれ重み係数と相関出力を表すベクトルであり、Ｒｅ｛｝は引き数の実数部を表す。判断統計量を使用して、たとえば、（たとえば、判断統計量の符号を使用することにより）ビット値を決める、または後続の復号のために軟値を与えることができる。
【００３１】
本発明の好適実施例によれば、重み係数発生器４３０が発生する重み係数ｗは、チャネル応答および「自身のセル」の干渉スペクトル拡散信号（たとえば、同じ基地局からの信号）と雑音のパワーをまず推定することにより決められる。次に、チャネル応答推定値と所望の拡散系列ｓdの統計的性質を使用して、「複合」チャネル（インパルス）応答ｈを決める。「複合」チャネル（インパルス）応答ｈは、送信端の送信パルス形状フィルタと他の要素の一方または両方の影響、および通信媒体と受信フィルタの応答の影響を反映する。自身のセルの干渉、他のセルの干渉、および熱雑音に起因するそれぞれの成分を含む総合損傷相関Ｒを決めるために、チャネル推定値とパワー推定値を使用することにより、総合損傷行列相関Ｒが得られる。次に、複合チャネル応答ｈおよび総合損傷相関Ｒを使用して、重み係数ｗを演算する。
【００３２】
重み係数ｗは、拡散系列の統計的性質を考慮に入れて求められる。更に詳しくは、拡散系列に関連した情報および拡散系列が結合される送信されたスペクトル拡散信号を使用して、重み係数ｗを明確に計算することができる。たとえば、遅延４１２ａ−４１２Ｌおよびチャネル推定値が相当変化したときに、重み係数ｗを間欠的に計算することができる。
【００３３】
Ｊを相関器数として相関器遅延（ｄ1，ｄ2，．．．，ｄJ）の組が与えられたとき、重み付き組合わせ器４２０で使用されるべき最適組合わせ重みは次式のように表すことができるということを示すことができる。
0004464020.tif 000003
ここで、ｈは送信フィルタ、媒体、および受信フィルタの応答を含む複合チャネル応答であり、Ｒは損傷相関行列である。
【００３４】
更に、複合チャネル応答ｈは次式で与えられるということを示すことができる。
0004464020.tif 000004
ここで、ｃlおよびτlは媒体応答
0004464020.tif 000005
に関連しており、Ｌはマルチパス数であり、Ｎは拡散係数であり、Ｔcはチップ継続時間であり、Ｒp（ｔ）はチップ波形の自己相関関数であり、Ｃ（ｍ）は次式のように定義される拡散系列の非周期的な自己相関関数である。
0004464020.tif 000006
ここで、ｓ（ｎ）は拡散系列の第ｎチップである。
より簡単になり得る代案として、パイロットチャネル、パイロットシンボル、または専用シンボルを使用して直接ｈjを推定してもよい。
【００３５】
損傷相関行列Ｒは三つの項に分解することができる。
0004464020.tif 000007
ここで、ＲISI、ＲMUI、およびＲnはそれぞれ、符号間干渉、マルチ・ユーザ（たとえば、セル内）干渉の相関、および相加性白色雑音の相関である。
【００３６】
Ｒのこれらの成分は次式により演算することができる。
0004464020.tif 000008
0004464020.tif 000009
および
0004464020.tif 000010
ここで、γIはマルチ・ユーザ干渉対信号パワー比であり、γNは雑音対信号パワー比である。（１２）の変数αは｛１，０｝の値をとる。直交拡散が使用される場合にはα＝１であるのに対して、擬似ランダム拡散が使用される場合にはα＝０である。（ｄ1、ｄ2以外の組合わせを含む）種々の組合わせを考慮することにより、損傷相関行列Ｒのすべての要素を得ることができる（ｉの無限加算は有効項、たとえば、ｉ＝−１，１、だけを含むように打ち切ることができる）。上記の式から、受信器が（１）チャネルインパルス応答ｃ（ｔ）、（２）チップ波形の自己相関関数Ｒp（ｔ）、（３）干渉対信号比（γI）、（４）雑音対信号比γN、および（５）拡散符号Ｃ（ｍ）の非周期的自己相関関数Ｃ（ｍ）の知識をそなえている場合には、重み係数ｗを明確に演算することができる。
【００３７】
多くの用途では、マルチ・ユーザ干渉は符号間干渉に比べてずっと強い。したがって、損傷相関行列Ｒは次式により近似することができる。
0004464020.tif 000011
この場合、これらの項は比γI、γNの中の共通スケーリング係数である信号パワーＳを含む。この項は省略できるので、干渉パワーＩと雑音パワーだけを推定すればよい。その代わりに、信号パワーを推定し、それを使用して比γI、γNを推定することができる。
【００３８】
更に、実際には、非周期的自己相関関数Ｃ（ｍ）は通常符号毎に変化するので、非周期的自己相関関数Ｃ（ｍ）を計算するのは煩わしいことがある。重み計算の複雑さを軽減するために、代わりに次式で示されるように平均非周期的自己相関関数
0004464020.tif 000012
を使用することができる。
0004464020.tif 000013
式（９）および（１０）を使用して、式（７）および（８）を大幅に簡単にすることができる。
【００３９】
ハンドオフまたは送信ダイバーシティの状況では、多数の基地局からのマルチ・ユーザ信号による干渉は通常、チャネル応答により途中で有色化され、マルチ・ユーザ干渉成分ＲMUIは次式により計算される。
0004464020.tif 000014
ここで、上付き文字ｋは基地局を指示するために使用され、ｋ＝１は所望のスペクトル拡散信号を送信する基地局に対応する。通常、直交拡散が使用されるときは、α1＝１であり、ｋ≠１に対してはαk＝０である。
【００４０】
図５は本発明の一実施例による代表的な重み係数発生器４３０を示す。重み係数発生器４３０は、チャネルタップ係数ｃlを推定するチャネル推定器５１０、および非周期的自己相関関数Ｃ（ｍ）の値を決める非周期的自己相関計算器５２０を含む。チャネルタップ係数ｃlおよび非周期的自己相関関数Ｃ（ｍ）の値は複合チャネル応答計算器５３０に与えられる。複合チャネル応答計算器５３０は式（３）を使用して、所望の拡散系列の統計的性質、すなわちチップパルス形状（波形）の自己相関Ｒp（ｔ）に基づいて複合チャネル応答ｈを計算する。前記のように、複合チャネル応答は、パイロットチャネル、パイロットシンボル、または専用シンボルに対応する相関から直接計算してもよい。
【００４１】
重み係数発生器４３０は、式（５）により損傷相関Ｒを演算する損傷相関計算器５４０をも含む。損傷相関計算器５４０は、信号パワー比γI、γNを供給するパワー推定器５４２を含む。信号パワー比γI、γNはそれぞれマルチ・ユーザ干渉相関計算器５４６と雑音相関計算器５４８に供給される。マルチ・ユーザ干渉相関計算器５４６と雑音相関計算器５４８はそれぞれ式（７）と（８）に従ってマルチ・ユーザ干渉相関成分ＲMUIと雑音相関成分ＲNを演算する。符号間干渉相関計算器５４４は符号間干渉相関成分ＲISIを計算する。符号間干渉損傷相関成分、マルチ・ユーザ干渉相関成分、および雑音相関成分ＲMUI、ＲN、ＲISIは加算器５４９により加算されて、損傷相関Ｒが作成される。重み係数計算器５５０で、損傷相関Ｒは複合チャネル応答ｈとともに使用されて、重み係数ｗが生成される。
【００４２】
図５に示される装置は上記の記載に沿って変形してもよいことは理解されよう。たとえば、式（１０）、（８）および（３）で説明したように、非周期的自己相関計算器５２０を除去して、計算された非周期的自己相関Ｃ（ｍ）を平均自己相関
0004464020.tif 000015
に置き換えてもよい。
【００４３】
重み係数ｗを決める際の一層の簡単化は、重み係数ｗを決めるために損傷相関Ｒの逆数Ｒ-1の演算を不要にする反復アプローチを使用することにより達成することができる。図６に示すように、重み係数発生器４３０は反復重み係数計算器５５０’を含んでもよい。反復重み係数計算器５５０’は、複合チャネル応答計算器５３０および損傷相関計算器５４０によりそれぞれ与えられる複合チャネル応答ｈおよび損傷相関Ｒを使用して、前に演算された、または別の方法で与えられた重み係数から重み係数ｗを反復計算する。式（２）により、重み係数ｗ、損傷相関行列Ｒ、および複合チャネル応答は次式の形式の線形システムを形成する。
0004464020.tif 000016
ここで、Ａ＝Ｒ、ｘ＝ｗ、およびｂ＝ｈである。損傷相関行列Ｒは上記の手法に従って演算することができる。その代わりに、損傷相関行列Ｒは他の手法を使用して決めることもできる。他の手法としては、たとえば、２０００年４月１３日発行のボトムリー（Ｂｏｔｔｏｍｌｅｙ）によるＰＣＴ国際出願公報ＷＯ００／２１２０８に説明されているものがある。
【００４４】
式（１２）は線形システムを記述しているので、線形システムを解くための多数の手法のどれを使用して重みを見出してもよい。好ましくは、逆行列の計算を行わずに既存の重みから新しい重み係数を演算することができる反復手法が利用される。たとえば、反復ガウス−ザイデル（Ｇａｕｓｓ−Ｓｅｉｄｅｌ）手法を使用してもよい。ここで、重み係数ｗは次式によって計算される。
0004464020.tif 000017
ここで、ｎはベクトルｗおよびｈの次元であり、ｒijは損傷相関行列Ｒの第（ｉ，ｊ）要素であり、ｋは反復の段階である。初期推測（前の段階または前のシンボル周期のｗの値）が正しい解に近ければ、この反復は１回または２、３回の反復の後に収束するはずである。伝統的なＲＡＫＥ組合わせに対応して、最初、重み係数ｗをチャネル係数推定値に設定することができる。計算されたｗi（ｋ＋１）を次式のように変形することにより、収束を加速することができる。
0004464020.tif 000018
ここで、λは緩和パラメータである。１＜λ≦２の場合、既に収束するシステムに対して、より高速の収束を得ることができる。正規の反復が収束しない場合、λ≦１を使用して収束を得てもよい。線形システムの反復解のためのこれらの手法および他の手法については、ハリス他による「数学とコンピュータサイエンスのハンドブック」（Ｈａｎｄｂｏｏｋ  ｏｆ  Ｍａｔｈｅｍａｔｉｃｓ  ａｎｄ  Ｃｏｍｐｕｔｅｒ  Ｓｃｉｅｎｃｅ，ｂｙ  Ｈａｒｒｉｓ  ｅｔ  ａｌ．，ｐｕｂｌｉｓｈｅｄ  ｂｙ  Ｓｐｒｉｎｇｅｒ−Ｖｅｒｌａｇ（Ｎｅｗ  Ｙｏｒｋ，１９９８），ａｔ  ｐｐ．４５６−４５７）に説明されている。
【００４５】
再び図５を参照して、パワー推定器５４２は干渉対信号比γIおよび雑音対信号比γNを推定する。干渉対信号比γIおよび雑音対信号比γNは重み係数ｗを演算する際に使用される。符号間干渉損傷相関成分ＲISIは前記のように無視できるので、重み係数ｗの演算を遂行するために干渉対信号比と雑音対信号比の比γI／γNを決め、γNをある正規数、たとえば１に設定する（干渉パワー対雑音パワーの比を推定することと同等）ことで充分である。
【００４６】
無線セルラー通信システムでは、基地局（ＢＳ：ｂａｓｅ  ｓｔａｔｉｏｎ）は移動端末または他の端末に、送信されつつある、すべてのスペクトル拡散信号のパワーレベルを伝えることができる。このとき、端末は従来の手段を使用してその受信パワーを単に演算して、基地局情報を使用することにより干渉の相対受信パワーを決めることができる。これらの干渉パワー推定値および全受信パワーの推定値（これは従来の手段を使用しても得ることができる）を使用して、雑音パワー（すなわち、他の干渉と熱雑音のパワー）の推定値を得ることができる。
【００４７】
しかし、基地局がパワーレベル情報を送信しない場合には、基地局はなお、どの拡散符号が現在使用されているかを端末に知らせることができる。このような情報を使用して、干渉信号に対するパワー情報は、図７に示されるパワー推定器５４２のような装置を使用して決めることができる。受信された複合信号に対応するベースバンド信号ｒ（ｋ）は遅延７１０ａ−７１０Ｌのバンクを通される。ベースバンド信号ｒ（ｋ）の各遅延バージョンはデスクランブラ７２０ａ−７２０Ｌによってデスクランブルされ、高速ウォルシュ変換器７３０ａ−７３０Ｌによって処理される。次に、結果として得られる相関情報はチャネル推定値を使用して最大比組合わせ（合成）器７４０によって合成される。合成された値は各符号次元のエネルギーを示す。干渉パワー推定器７５０は（所望の符号以外の）アクティブ符号のよる次元のエネルギーを計算し、雑音パワー推定器７６０は非アクティブ符号よる次元のエネルギーを計算する。
【００４８】
アクティブ符号についての情報が端末に与えられない場合には、たとえば、最大比組合成器７４０の出力の自乗の大きさに閾値を設けることにより、どの符号がアクティブかを検出するように図７の装置を変形してもよい。非アクティブ符号に対する最大比組合成器の出力の自乗の大きさを平滑化することにより、白色雑音パワーの推定値を得ることができる。干渉による僅かなバイアスと所望の信号のエコーとがあってもよく、これらは除去することができる。アクティブ符号に対する最大比合成器７４０の出力の自乗の大きさを平滑化することにより、Ｉi＋Ｎの推定値を得ることができる。ここで、Ｉiはｉ番目のユーザの干渉パワーであり、Ｎは白色雑音パワーである。Ｎの推定値を使用して、Ｉiの推定値を得て、加算することにより、総合干渉パワーの推定値を得ることができる。拡散系列を検出し、特定の拡散符号と結合されたパワーを推定するための代表的な手法は、本発明の譲り受け人に譲渡され、ここに引用することにより全体が本発明の一部として組み入れられる、１９９９年１月２２日出願のウォン（Ｗａｎｇ）による米国特許出願第０９／２３５，４７０号に説明されている。
【００４９】
再び図４を参照して、相関ユニット４１０および重み係数発生器４３０内で最適フィンガ位置（すなわち、遅延値）が使用されることが好ましい。種々の遅延最適化手法および基準を使用することができる。好適な最適メトリックは次式のように表現することができる。
0004464020.tif 000019
ここで、Ｍを最大にする遅延を選択することにより最適化が達成される。
【００５０】
図８−１０は本発明の種々の側面による代表的な動作のフローチャートである。これらのフローチャートのブロックおよびこれらのフローチャートのブロックの組合わせはコンピュータのプログラム命令によって実現することができ、コンピュータのプログラム命令をコンピュータまたは他のプログラマブルデータ処理装置、たとえばマイクロコンピュータ、マイクロプロセッサ、ＡＳＩＣ、ＤＳＰチップ、または他の処理回路にロードして実行することによりマシンを作成し、これによりコンピュータまたは他のプログラマブルデータ処理装置で実行される命令がフローチャートのブロックまたはブロック組合わせで指定される機能を実現するための手段を形成できることは理解されよう。コンピュータのプログラム命令をコンピュータまたは他のプログラマブルデータ処理装置にロードすることにより、コンピュータまたは他のプログラマブルデータ処理装置で一連の動作ステップを遂行させて、コンピュータで実現されるプロセスを作成し、コンピュータまたは他のプログラマブル装置で実行される命令がフローチャートのブロックまたはブロック組合わせで指定される機能を実現するためのステップを形成できる。
【００５１】
したがって、図８−１０のフローチャートのブロックは指定された機能を遂行するための手段の組合わせ、および指定された機能を遂行するためのステップの組合わせを支援する。図８−１０のフローチャートの各ブロックおよびブロック組合わせは、指定された機能またはステップを遂行する専用ハードウェア型コンピュータシステム、または専用ハードウェアとコンピュータ命令との組合わせにより実現できることも理解されよう。
【００５２】
図８は、無線伝搬媒体のような通信媒体中で所望の拡散符号に従って伝送される拡散スペクトルによって表される情報を復元するための代表的な動作８００を示す。複合信号が通信媒体から受信され（ブロック８１０）、所望の拡散系列と相関されて、時間のずれた相関が作成される（ブロック８２０）。複合信号の中に存在する拡散信号の情報に基づいて、たとえば、式（１）−（１１）について説明したように所望の拡散系列の統計的性質および干渉するスペクトル拡散信号のパワーに基づいて、重み係数が作成される（ブロック８３０）。重み係数に従って相関を合成することにより、判断統計量を作成する（ブロック８４０）。判断統計量を使用することにより、もとの送信された情報の推定値を生成する（ブロック８５０）。
【００５３】
図９は、本発明の一側面により、このような重み係数を生成するための代表的な動作を示す。複合チャネル応答が推定される（ブロック９１０）。少なくとも一つの干渉するスペクトル拡散信号と他の雑音のパワーが判定される（ブロック９２０、９３０）。次に、パワー推定値、および自己相関関数Ｒp（ｔ）によって表されるパルス形状情報を含む、複合信号内に存在するスペクトル拡散信号の情報から、損傷相関が判定される（ブロック９４０）。損傷相関およびチャネル応答を使用して、重み係数が生成される（ブロック９５０）。
【００５４】
図１０は、本発明の更にもう一つの側面による、重み係数を反復生成するための代表的な動作１０００を示す。たとえば、式（１）−（１１）の演算を使用して、または前記のような他の手法により、重み係数の第一の組が生成される（ブロック１０１０）。複合チャネル応答が推定され（ブロック１０２０）、それとともに損傷相関が推定される（ブロック１０３０）。次に、重み係数の前の組、複合チャネル応答、および損傷相関から新しい重み係数が反復生成され、これは許容できる収束が達成されるまで継続される（ブロック１０４０）。
【００５５】
説明した動作の他の変形は本発明の範囲内に入る。たとえば、チャネル推定は自動周波数補正（ＡＦＣ：ａｕｔｏｍａｔｉｃ  ｆｒｅｑｕｅｎｃｙ  ｃｏｒｒｅｃｔｉｏｎ）を含んでもよい。１９９９年６月２４日発行のボトムリー（Ｂｏｔｔｏｍｌｅｙ）によるＰＣＴ国際出願公報ＷＯ９９／３１８１６に説明されているように、信号エコーと結合された各相関器に順方向ＡＦＣを適用し、その結果得られた位相推定値を使用して、チャネル推定値を回転させることにより重み係数を形成することができる。電圧制御発振器の帰還補正は周波数誤り推定値の組合わせに基づいて行うことができる。本発明は多重受信アンテナと一緒に使用してもよい。相関器は異なるアンテナとともに異なる遅延に割当てて、すべての相関器の出力を集めてもよい。対応する損傷相関推定値および複合チャネル応答推定値を使用して重み係数の組合わせを決めることができ、重み係数は異なるアンテナに対応する部分集合を含む。
【００５６】
図および明細書で、発明の代表的な好適実施例が開示された。特定の用語を用いているが、それらは包括的で説明の意味で使用されているに過ぎず、限定のためのものではなく、発明の範囲は請求の範囲に示されている。
【図面の簡単な説明】
【図１】  従来の地上セルラー通信システムを示す概略図である。
【図２】  従来の衛星型無線通信システムを示す概略図である。
【図３】  従来の無線基地局を示す概略図である。
【図４】  本発明の一実施例による変形されたＲＡＫＥ受信器を示す概略図である。
【図５】  本発明の一実施例による重み係数発生器を示す概略図である。
【図６】  本発明のもう一つの実施例による重み係数発生器を示す概略図である。
【図７】   干渉スペクトル拡散信号のパワーの検出、判定の一方または両方を行うための装置を示す概略図である。
【図８】  本発明の一側面による、スペクトル拡散信号によって表される情報の推定値を発生するための代表的な動作を示すフローチャートである。
【図９】  本発明のもう一つの側面による、ＲＡＫＥ受信器に対する重み係数を発生するための代表的な動作を示すフローチャートである。
【図１０】   本発明の更にもう一つの側面による、ＲＡＫＥ受信器に対する重み係数を反復して発生するための代表的な動作を示すフローチャートである。
【図１】
0004464020.tif 000020
【図２】
0004464020.tif 000021
【図３】
0004464020.tif 000022
【図４】
0004464020.tif 000023
【図５】
0004464020.tif 000024
【図６】
0004464020.tif 000025
【図７】
0004464020.tif 000026
【図８】
0004464020.tif 000027
【図９】
0004464020.tif 000028
【図１０】
0004464020.tif 000029